(57)【特許請求の範囲】
【請求項１】
被加熱物への投入火力を設定するための火力入力手段と、
火力粗調整入力モードから火力微調整入力モードに切り替えるための切替手段と、
前記火力入力手段からの火力に応じて設定された低火力領域、中火力領域および高火力領域の各領域毎にそれぞれ複数の表示窓を有する火力表示手段と、
前記火力表示手段の複数の表示窓を低火力領域、中火力領域および高火力領域の各領域毎に表示色を変えて表示し、前記火力入力手段からの設定火力が入力されたときに火力粗調整入力モードと判定して、その設定火力の表示窓まで表示色が明るくなるように表示する第１の表示制御手段と、
前記切替手段の操作により火力微調整入力モードに切り替えられたときに、前記第１の表示制御手段により明るく表示された表示窓のうち、最終段の表示窓の属する領域の表示色になるように全表示窓を切り替え表示し、かつ最終段の表示窓の属する領域に設定された表示窓毎の微調整火力の中から前記設定火力と同一あるいは該設定火力に近似の微調整火力を特定し、その領域の火力微調整入力モードにおける最小火力の表示窓から、特定した微調整火力の表示窓まで明るくなるように表示する第２の表示制御手段と
を備えたことを特徴とする誘導加熱調理器。
【請求項２】
被加熱物への投入火力を設定するための火力入力手段と、
火力粗調整入力モードから火力微調整入力モードに切り替えるための切替手段と、
前記火力入力手段からの火力に応じて設定された低火力領域、中火力領域および高火力領域の各領域毎にそれぞれ複数の表示窓を有する火力表示手段と、
前記火力表示手段の前記複数の表示窓を所定の表示色で表示し、前記火力入力手段からの設定火力が入力されたときに火力粗調整入力モードと判定して、その設定火力に対応して設定された表示窓まで前記所定の表示色と異なる表示色で表示する第１の表示制御手段と、
前記切替手段の操作により火力微調整入力モードに切り替えられたときに、前記第１の表示制御手段により表示色が変えられた表示窓のうち、最終段の表示窓の属する領域に設定された表示窓毎の微調整火力の中から前記設定火力と同一あるいは該設定火力に近似の微調整火力を特定し、その領域の火力微調整入力モードにおける最小火力の表示窓から特定した微調整火力の表示窓まで、前記第１の表示制御手段により変えられた表示色と同一の表示色で表示する第２の表示制御手段と
を備えたことを特徴とする誘導加熱調理器。
【請求項３】
被加熱物への投入火力を設定するための火力入力手段と、
前記火力入力手段からの火力に応じて設定された低火力領域、中火力領域および高火力領域の各領域毎にそれぞれ複数の表示窓を有する火力表示手段と、
前記火力表示手段の複数の表示窓を低火力領域、中火力領域および高火力領域の各領域毎に表示色を変えて表示し、前記火力入力手段からの設定火力が入力されたときに火力粗調整入力モードと判定して、その設定火力の表示窓まで表示色が明るくなるように表示する第１の表示制御手段と、
前記火力入力手段の操作により、設定火力の属する領域内で互いに隣接する２つの火力が一定時間内に交互に複数回選択されたときには、その領域の火力微調整入力モードへの切り替えと判定して、前記２つの火力の属する領域の表示窓の表示色になるように全表示窓を切り替え表示すると共に、その領域の中央の表示窓まで明るくなるように表示する第２の表示制御手段と
を備えたことを特徴とする誘導加熱調理器。
【請求項４】
前記第２の表示制御手段は、火力微調整入力モードにおける低火力領域、中火力領域および高火力領域の何れかの領域内において、前記火力入力手段の操作により、互いに隣接する２つの火力が一定時間内に交互に複数回選択されたときには、火力粗調整入力モードへの切り替えと判定して、火力粗調整入力モードにおける低火力領域、中火力領域および高火力領域の各領域毎に表示窓の表示色を変えて表示すると共に、複数回選択された火力の属する領域の表示窓のうち所定の表示窓まで明るくなるように表示することを特徴とする請求項３記載の誘導加熱調理器。
【請求項５】
前記第２の表示制御手段は、火力微調整入力モードにおける低火力領域、中火力領域および高火力領域の何れかの領域内において、前記火力入力手段の操作により、所定の火力が一定時間内に複数回選択されたときには、火力粗調整入力モードへの切り替えと判定して、火力粗調整入力モードにおける低火力領域、中火力領域および高火力領域の各領域毎に表示窓の表示色を変えて表示すると共に、複数回選択された火力の属する領域の表示窓のうち所定の表示窓まで明るくなるように表示することを特徴とする請求項３記載の誘導加熱調理器。
【請求項６】
前記第２の表示制御手段は、火力粗調整入力モードから火力微調整入力モードへの切り替えにより、その中央の表示窓に設定された微調整火力を前記火力入力手段からの火力とすることを特徴とする請求項３記載の誘導加熱調理器。
【請求項７】
前記第１の表示制御手段は、火力微調整入力モードから火力粗調整入力モードへの切り替えにより、火力粗調整入力モードにおける最小火力の表示窓から前記所定の表示窓まで明るくした際に、その所定の表示窓に設定された火力を前記火力入力手段からの火力とすることを特徴とする請求項４又は５記載の誘導加熱調理器。
【請求項８】
前記第１の表示制御手段は、複数の表示窓を低火力領域、中火力領域および高火力領域の各領域毎に表示色を変えて表示した際に、各表示窓の近傍に前記火力入力手段から入力される火力の数値を表示し、
前記第２の表示制御手段は、火力微調整入力モードにおける最小火力の表示窓から、特定した微調整火力の表示窓まで明るくなるように表示した際に、全表示窓の近傍に、最終段の表示窓の属する領域に設定された表示窓毎の微調整火力の数値を表示することを特徴とする請求項１、３〜７の何れか１項に記載の誘導加熱調理器。
【請求項９】
前記第１の表示制御手段は、複数の表示窓を所定の表示色で表示した際に、各表示窓の近傍に前記火力入力手段から入力される火力の数値を表示し、
前記第２の表示制御手段は、火力微調整入力モードにおける最小火力の表示窓から特定した火力の表示窓まで、前記第１の表示制御手段により変えられた表示色と同一の表示色で表示した際に、全表示窓の近傍に、最終段の表示窓の属する領域に設定された表示窓毎の微調整火力の数値を表示することを特徴とする請求項２〜７の何れか１項に記載の誘導加熱調理器。
【請求項１０】
前記第２の表示制御手段により設定された火力に基づいて加熱コイルを加熱する加熱制御手段を備えていることを特徴とする請求項６又は７記載の誘導加熱調理器。
【発明の詳細な説明】
【技術分野】
【０００１】
本発明は、誘導加熱調理器の火力表示部に係わり、さらに詳しくは、火力表示部に設定された火力をさらに細かな火力表示および設定のできる誘導加熱調理器に関するものである。
【背景技術】
【０００２】
従来の誘導加熱調理器の火力調整は、通常、最低火力（１００Ｗ）から最高火力（２５００Ｗ）に設定されており、設定値として大まかとなっている。火力微調整を行う際には、火力微調整入力手段により１００Ｗ〜２５００Ｗの間で細かな火力調整を設定できるようにしている（例えば、特許文献１参照）。
【先行技術文献】
【特許文献】
【０００３】
【特許文献１】特開２００３−２９７５４１号公報（第５頁、図１−２）
【発明の概要】
【発明が解決しようとする課題】
【０００４】
しかしながら、従来の誘導加熱調理器では、火力がどの程度変更されているのかを視覚的に確認することが難しく、また、視覚的に確認するために数値表示部を設けるなどコストアップが必要となっていた。
本発明は、前記のような課題を解決するためになされたもので、コストアップを行うことなく、火力微調整の度合いを視覚的に把握できる誘導加熱調理器を得ることを目的とする。
【課題を解決するための手段】
【０００５】
本発明に係る誘導加熱調理器は、被加熱物への投入火力を設定するための火力入力手段と、火力粗調整入力モードから火力微調整入力モードに切り替えるための切替手段と、火力入力手段からの火力に応じて設定された低火力領域、中火力領域および高火力領域の各領域毎にそれぞれ複数の表示窓を有する火力表示手段と、火力表示手段の複数の表示窓を低火力領域、中火力領域および高火力領域の各領域毎に表示色を変えて表示し、火力入力手段からの設定火力が入力されたときに火力粗調整入力モードと判定して、その設定火力の表示窓まで表示色が明るくなるように表示する第１の表示制御手段と、切替手段の操作により火力微調整入力モードに切り替えられたときに、第１の表示制御手段により明るく表示された表示窓のうち、最終段の表示窓の属する領域の表示色になるように全表示窓を切り替え表示し、かつ最終段の表示窓の属する領域に設定された表示窓毎の微調整火力の中から設定火力と同一あるいは該設定火力に近似の微調整火力を特定し、その領域の火力微調整入力モードにおける最小火力の表示窓から、特定した微調整火力の表示窓まで明るくなるように表示する第２の表示制御手段とを備えたものである。
【発明の効果】
【０００６】
本発明においては、火力表示手段の複数の表示窓を低火力領域、中火力領域および高火力領域の各領域毎に表示色を変えて表示し、火力入力手段からの設定火力が入力されたときに火力粗調整入力モードと判定して、その設定火力から表示窓を判定して火力粗調整入力モードにおけるその設定火力の表示窓まで明るくなるように表示する。また、切替手段の操作による微調整火力への切り替えを検知したときに火力微調整入力モードと判定して、第１の表示制御手段により表示された最終段の表示窓の属する領域の表示色に全表示窓を切り替え表示する。そして、その領域の微調整火力を判定し、その微調整火力のうち設定火力と同一あるいは近似の火力の表示窓を判定し、その領域の火力微調整入力モードにおける最小の微調整火力の表示窓から、判定した表示窓まで明るくなるように表示する。これにより、火力を微調整する際、大幅なコストアップを行うことなく、火力微調整の度合いを視覚的に把握でき、使い勝手の良い誘導加熱調理器を得ることができる。
【図面の簡単な説明】
【０００７】
【図１】本発明の実施の形態１に係る誘導加熱調理器の概略構成を示すブロック図である。
【図２】実施の形態１に係る誘導加熱調理器の火力表示部の表示例を示す図である。
【図３】本発明の実施の形態２に係る誘導加熱調理器の火力表示部の表示例を示す図である。
【図４】本発明の実施の形態３に係る誘導加熱調理器の火力表示部の表示例を示す図である。
【図５】本発明の実施の形態４に係る誘導加熱調理器の火力表示部の表示例を示す図および火力粗調整入力モードから火力微調整入力モードへ移行するときの操作例を示す図である。
【図６】実施の形態４に係る誘導加熱調理器の火力表示部の表示例を示す図および火力微調整入力モードから火力粗調整入力モードへ移行するときの操作例を示す図である。
【図７】実施の形態４に係る誘導加熱調理器の動作を示すフローチャートである。
【図８】図７に続くフローチャートである。
【図９】本発明の実施の形態５に係る誘導加熱調理器の火力表示部の表示例を示す図および火力微調整入力モードから火力粗調整入力モードへ移行するときの操作例を示す図である。
【図１０】実施の形態５の誘導加熱調理器の動作を示すフローチャートである。
【図１１】本発明の実施の形態６の誘導加熱調理器の動作を示すフローチャートである。
【発明を実施するための形態】
【０００８】
実施の形態１．
図１は本発明の実施の形態１に係る誘導加熱調理器の概略構成を示すブロック図である。
図において、誘導加熱調理器の加熱コイル１１は、図示せぬトッププレートの下方に配置され、共振コンデンサ１２と直列に接続されている。インバータ１３は、加熱制御部１４からの駆動信号に基づいて直流電圧を高周波電圧に変換し、加熱コイル１１と共振コンデンサ１２の負荷回路に高周波電流を供給する。前述した加熱制御部１４は、主制御部１９からの火力指示に基づいて駆動信号を生成し、インバータ１３を駆動する。
【０００９】
火力表示部１５は、例えば前述のトッププレートの前端部に配置され、上面に例えば９分割された表示窓１５ａが設けられている。各表示窓１５ａには例えば「１」〜「９」の火力番号が付され、その表示窓１５ａの裏面には、例えば緑色ＬＥＤ、橙色ＬＥＤおよび赤色ＬＥＤが一組としてそれぞれ配置されている。火力配分例として、火力１は１００Ｗ、火力２は３００Ｗ、火力３は５００Ｗ、火力４は７５０Ｗ、火力５は１０００Ｗ、火力６は１５００Ｗ、火力７は２０００Ｗ、火力８は２５００Ｗ、火力９は３０００Ｗとなっている。また、火力１〜３の表示窓１５ａは低火力領域、火力４〜６は中火力領域、火力７〜９は高火力領域として分割されている。さらに、火力表示部１５は、待機状態のときには、低火力領域の火力１〜３の表示窓１５ａを緑色、中火力領域の火力４〜６の表示窓１５ａを橙色、高火力領域の火力７〜９の表示窓１５ａを赤色で点灯している。
【００１０】
火力入力手段であるキースイッチ１６は、例えばトッププレートの前端部側の枠体に設けられ、また、火力入力手段であるエンコーダノブ１７（火力調整ダイヤル）は、例えば誘導加熱調理器の前面に設けられている。キースイッチ１６には、火力を上げるための火力ＵＰキーおよび火力を下げるための火力ＤＮキーが設けられている。エンコーダノブ１７は、所定方向に回すことで火力が上下するように構成されている。切替手段であるモード切替スイッチ１８は、例えばキースイッチ１６に隣接して設けられ、前述した火力番号の設定火力（火力粗調整モード）から細かな火力（火力微調整モード）に切り替えるためのスイッチである。なお、火力微調整モードから火力粗調整モードへの切り替えもモード切替スイッチ１８で行う。
【００１１】
主制御部１９は、動作を説明するときに詳述するが第１および第２の表示制御手段の機能を備えている。この主制御部１９は、キースイッチ１６あるいはエンコーダノブ１７の操作を検知すると火力粗調整入力モードと判定して、その操作に基づく火力で被加熱物が誘導加熱されるように加熱制御部１４を制御し、かつ設定火力に対応した火力番号までの表示窓１５ａがさらに明るく点灯するように火力表示部１５を制御する。また、主制御部１９は、設定火力と関連付けられた低火力領域、中火力領域および高火力領域、各領域に設定された微調整火力、および各領域の微調整火力と関連付けられた火力番号をデータとして有している。
【００１２】
また、主制御部１９は、火力粗調整入力モードにて火力表示部１５を表示しているときにモード切替スイッチ１８のオンを検知すると、設定火力の領域およびその領域の微調整火力を判定し、かつ、判定した微調整火力のうち設定火力と同一あるいは近似の火力の番号を判定する。そして、主制御部１９は、火力表示部１５の全表示窓１５ａが領域の色になるように制御すると共に、判定した火力番号までの表示窓１５ａがさらに明るく点灯するように火力表示部１５を制御し、火力微調整入力モードに切り替える。
【００１３】
次に、実施の形態１における火力表示の切り替えについて図２を用いて説明する。
図２は実施の形態１に係る誘導加熱調理器の火力表示部の表示例を示す図である。
主制御部１９は、電源がオンされると、例えば図２（ａ）に示すように、低火力領域の火力１〜３の表示窓１５ａが緑色に、中火力領域の火力４〜６の表示窓１５ａが橙色に、高火力領域の火力７〜９の表示窓１５ａが赤色になるように火力表示部１５を制御し待機状態とする。主制御部１９は、この状態において、キースイッチ１６あるいはエンコーダノブ１７により火力２が設定されたときには、（ｂ）に示すように低火力領域の火力１，２までの表示窓１５ａがさらに明るくなるように制御する。また、主制御部１９は、火力４が設定されたときには、（ｃ）に示すように、低火力領域の全表示窓１５ａ（緑色）がさらに明るくなるように制御すると同時に、中火力領域の火力４の表示窓１５ａ（橙色）がさらに明るくなるように制御する。さらに、主制御部１９は、火力８が設定されたときには、（ｄ）に示すように、高火力領域の火力８までの表示窓１５ａ（緑色・橙色・赤色）がそれぞれ明るくなるように制御する。これらは、キースイッチ１６あるいはエンコーダノブ１７の操作による火力粗調整入力モードの状態である。
【００１４】
主制御部１９は、火力粗調整入力モード時における火力表示が（ｂ）に示す状態のときに、モード切替スイッチ１８のオンを検知すると、火力微調整入力モードへの移行と判定して、微調整火力の表示に切り替える。この場合、主制御部１９は、火力２から低火力領域を判定し、その領域に設定された微調整火力を判定し、かつ、判定した微調整火力のうち設定火力２と同一あるいは近似の火力の番号「５」を判定する。そして、主制御部１９は、火力表示部１５の全表示窓１５ａが緑色になるように制御すると共に、判定した火力５までの表示窓１５ａがさらに明るくなるように制御する。その後、主制御部１９は、例えばキースイッチ１６により火力６が設定されたときには、その火力６に対応して設定された火力（電力）で被加熱物が誘導加熱されるように加熱制御部１４を制御すると共に、火力６の表示窓１５ａも明るくなるようにする。
【００１５】
また、主制御部１９は、火力粗調整入力モード時における火力表示が（ｃ）に示す状態のときに、モード切替スイッチ１８のオンを検知すると、火力微調整入力モードへの移行と判定して、微調整火力の表示に切り替える。この場合、主制御部１９は、火力４から中火力領域と判定し、その領域に設定された微調整火力を判定し、かつ、判定した微調整火力のうち設定火力４と同一あるいは近似の火力の番号「３」を判定する。そして、主制御部１９は、火力表示部１５の全表示窓１５ａが橙色になるように制御すると共に、判定した火力３までの表示窓１５ａがさらに明るくなるように制御する。その後、主制御部１９は、例えばキースイッチ１６により火力２が設定されたときには、その火力２に対応して設定された火力（電力）で被加熱物が誘導加熱されるように加熱制御部１４を制御すると共に、火力１，２の表示窓１５ａが明るくなるようにする。
【００１６】
さらに、主制御部１９は、火力粗調整入力モード時における火力表示が（ｄ）に示す状態のときに、モード切替スイッチ１８のオンを検知すると、前記と同様に火力微調整入力モードへの移行と判定して、微調整火力の表示に切り替える。その場合、主制御部１９は、火力８から高火力領域を判定し、その領域に設定された微調整火力を判定し、かつ、判定した微調整火力のうち設定火力８と同一あるいは近似の火力の番号「６」を判定する。そして、主制御部１９は、火力表示部１５の全表示窓１５ａが赤色になるように制御すると共に、判定した火力番号「６」までの表示窓１５ａがさらに明るくなるように制御する。その後、主制御部１９は、例えばエンコーダノブ１７により火力７が設定されたときには、その火力７に対応して設定された火力（電力）で被加熱物が誘導加熱されるように加熱制御部１４を制御すると共に、火力７の表示窓１５ａも明るくなるようにする。
【００１７】
以上のように実施の形態１においては、火力粗調整入力モードから火力微調整入力モードへ移行する際に、設定火力から領域を判定し、その領域に設定された微調整火力を判定し、かつ、判定した微調整火力のうち設定火力と同一あるいは近似の火力の番号を判定する。そして、火力表示部１５の全表示窓１５ａが設定火力の領域の色になるように制御すると共に、判定した火力番号までの表示窓１５ａがさらに明るくなるように制御する。これにより、火力を微調整する際、大幅なコストアップを行うことなく、火力微調整の度合いを視覚的に把握でき、使い勝手の良い誘導加熱調理器を提供できる。
【００１８】
実施の形態２．
実施の形態１では、火力が設定されているときに火力微調整入力モードに切り替えられると、全表示窓１５ａがその設定火力の領域の色になるようにすると共に、設定火力と同一あるいは近似の火力の火力番号までの表示窓１５ａがさらに明るくなるようにしたが、実施の形態２は、火力粗調整入力モード時および火力微調整入力モード時において、全表示窓１５ａの近傍にそれぞれ火力（電力）を表示するようにしたものである。
【００１９】
実施の形態２における火力表示部１５は、前記と同様に９分割された表示窓１５ａが設けられ、待機状態のときには、火力１〜３の低火力領域の表示窓１５ａを緑色、火力４〜６の中火力領域の表示窓１５ａを橙色、火力７〜９の高火力領域の表示窓１５ａを赤色で点灯している。また同時に、各表示窓１５ａの下には火力番号に対応して設定された火力（電力）を表示している。
【００２０】
実施の形態２における火力表示の切り替えについて図３を用いて説明する。なお、誘導加熱調理器の構成は図１に示す実施の形態１と同様である。
図３は実施の形態２に係る誘導加熱調理器の火力表示部の表示例を示す図である。
主制御部１９は、電源がオンされると、図３（ａ）に示すように、低火力領域の表示窓１５ａが緑色に、中火力領域の表示窓１５ａが橙色に、高火力領域の表示窓１５ａが赤色になるように火力表示部１５を制御し待機状態とする。この時、主制御部１９は、各火力番号に対応して設定された火力（電力）を各表示窓１５ａの下に表示する。この場合、火力配分例として、火力１の表示窓１５ａには１００Ｗ、火力２の表示窓１５ａには３００Ｗ、火力３の表示窓１５ａには５００Ｗ、火力４の表示窓１５ａには７５０Ｗがそれぞれ表示される。さらに、火力５の表示窓１５ａには１０００Ｗ、火力６の表示窓１５ａには１５００Ｗ、火力７の表示窓１５ａには２０００Ｗ、火力８の表示窓１５ａには２５００Ｗ、火力９の表示窓１５ａには３０００Ｗがそれぞれ表示される。
【００２１】
主制御部１９は、火力粗調整入力モード時における火力表示が（ｂ）に示す状態のときに、モード切替スイッチ１８のオンを検知すると、火力微調整入力モードへの移行と判定して、微調整火力の表示に切り替える。その場合、主制御部１９は、火力２から低火力領域を判定し、その領域に設定された火力番号（１〜９）毎の微調整火力（配分例として、１００Ｗ、１５０Ｗ、２００Ｗ、２５０Ｗ、３００Ｗ、３５０Ｗ、４００Ｗ、４５０Ｗ、５００Ｗ）を判定し、かつ、判定した微調整火力のうち設定火力（３００Ｗ）と同一あるいは近似の火力の番号「５」を判定する。そして、主制御部１９は、火力表示部１５の全表示窓１５ａが緑色になるように制御すると共に、先に判定した火力番号毎の微調整火力を全表示窓１５ａの下に表示し、かつ、判定した火力５までの表示窓１５ａがさらに明るくなるように制御する。その後、主制御部１９は、例えばキースイッチ１６により火力６が設定されたときには、その火力６に対応して設定された火力（３５０Ｗ）で被加熱物が誘導加熱されるように加熱制御部１４を制御すると共に、火力６の表示窓１５ａも明るくなるようにする。
【００２２】
また、主制御部１９は、火力粗調整入力モード時における火力表示が（ｃ）に示す状態のときに、モード切替スイッチ１８のオンを検知すると、火力微調整入力モードへの移行と判定して、微調整火力の表示に切り替える。その場合、主制御部１９は、火力４から中火力領域を判定し、その領域に設定された火力番号（１〜９）毎の微調整火力（配分例として、６００Ｗ、７００Ｗ、８００Ｗ、９００Ｗ、１０００Ｗ、１１００Ｗ、１３００Ｗ、１５００Ｗ、１７００Ｗ）を判定し、かつ、判定した微調整火力のうち設定火力（７５０Ｗ）と同一あるいは近似の火力の番号「３」を判定する。そして、主制御部１９は、火力表示部１５の全表示窓１５ａが橙色になるように制御すると共に、先に判定した火力番号毎の微調整火力を全表示窓１５ａの下に表示し、かつ、判定した火力３までの表示窓１５ａがさらに明るくなるように制御する。その後、主制御部１９は、例えばキースイッチ１６により火力２が設定されたときには、その火力２に対応して設定された火力（７００Ｗ）で被加熱物が誘導加熱されるように加熱制御部１４を制御すると共に、火力１，２の表示窓１５ａが明るくなるようにする。
【００２３】
さらに、主制御部１９は、火力粗調整入力モード時における火力表示が（ｄ）に示す状態のときに、モード切替スイッチ１８のオンを検知すると、前記と同様に火力微調整入力モードへの移行と判定して、微調整火力の表示に切り替える。その場合、主制御部１９は、火力８から高火力領域を判定し、その領域に設定された火力番号（１〜９）毎の微調整火力（配分例として、１８００Ｗ、１９００Ｗ、２０００Ｗ、２２００Ｗ、２４００Ｗ、２６００Ｗ、２８００Ｗ、２９００Ｗ、３０００Ｗ）を判定し、かつ、判定した微調整火力のうち設定火力（２５００Ｗ）と同一あるいは近似の火力の番号「６」を判定する。そして、主制御部１９は、火力表示部１５の全表示窓１５ａが赤色になるように制御すると共に、先に判定した火力番号毎の微調整火力を全表示窓１５ａの下に表示し、かつ、判定した火力６までの表示窓１５ａがさらに明るくなるように制御する。その後、主制御部１９は、例えばエンコーダノブ１７により火力７が設定されたときには、その火力７に対応して設定された火力（２８００Ｗ）で被加熱物が誘導加熱されるように加熱制御部１４を制御すると共に、火力７の表示窓１５ａも明るくなるようにする。
【００２４】
以上のように実施の形態２においては、火力粗調整入力モードから火力微調整入力モードへ移行する際に、設定火力の領域を判定し、その領域に設定された火力番号毎の微調整火力を判定し、かつ、判定した微調整火力のうち設定火力と同一あるいは近似の火力の番号を判定する。そして、火力表示部１５の全表示窓１５ａが設定火力の領域の色になるように制御すると共に、先に判定した火力番号毎の微調整火力を全表示窓１５ａの下に表示し、かつ、判定した火力番号までの表示窓１５ａがさらに明るくなるように制御する。これにより、火力を微調整する際、大幅なコストアップを行うことなく、火力微調整の度合いを視覚的に把握できる上に、微調整火力の値を確認でき、より使い勝手の良い誘導加熱調理器を提供できる。
【００２５】
なお、実施の形態２では、火力微調整入力モードに切り替えた際の設定火力に対する近似の微調整火力を設定火力より高い値を選択するようにしたが、近似の微調整火力を設定火力より低い値を選択するようにしても良い。これにより、さらに安全性が向上する。
また、判定した微調整火力のうち設定火力と同一あるいは近似の火力を火力表示部１５に表示する際、火力５の表示窓１５ａに表示するようにしても良い。このようにした場合、火力表示部１５の真ん中に火力粗調整入力モード時の設定火力が表示されるので、ユーザーにとってより視覚的に把握できる。
【００２６】
実施の形態３．
図４は本発明の実施の形態３に係る誘導加熱調理器の火力表示部の表示例を示す図である。なお、誘導加熱調理器の構成は図１に示す実施の形態１と同様である。
実施の形態３における火力表示部１５は、前記と同様に９分割された表示窓１５ａが設けられ、待機状態のときには、全表示窓１５ａを例えば青色で点灯すると共に、各表示窓１５ａの下に実施の形態２と同様に火力（電力）を表示している。
【００２７】
主制御部１９は、動作を説明するときに詳述するが第１および第２の表示制御手段の機能を備えている。この主制御部１９は、キースイッチ１６あるいはエンコーダノブ１７の操作を検知すると火力粗調整入力モードと判定して、その操作に基づく設定火力が得られるように加熱制御部１４を制御し、かつ設定火力の火力番号までの表示窓１５ａが青色から例えば赤色に切り替わるように火力表示部１５を制御する。また、主制御部１９は、設定火力と関連付けられた低火力領域、中火力領域および高火力領域、各領域に設定された微調整火力、および各領域の微調整火力と関連付けられた火力番号をデータとして有している。
【００２８】
また、主制御部１９は、モード切替スイッチ１８のオンを検知したときに、火力粗調整入力モードから火力微調整入力モードへの移行と判定して、設定火力から領域を判定し、その領域に設定された微調整火力を判定し、かつ、判定した微調整火力のうち設定火力と同一あるいは近似の火力の番号を判定する。そして、主制御部１９は、判定した火力番号までの表示窓１５ａが青色から赤色に切り替わるように火力表示部１５を制御する。
【００２９】
次に、実施の形態３における火力表示の切り替えについて図４を用いて説明する。
図４は実施の形態３に係る誘導加熱調理器の火力表示部の表示例を示す図である。
主制御部１９は、電源がオンされると、図４（ａ）に示すように、全表示窓１５ａが青色になるように火力表示部１５を制御し待機状態とする。この時、主制御部１９は、各火力番号に対応して設定された火力（電力）を各表示窓１５ａの下に表示する。火力番号に対する火力は、実施の形態２と同様である
【００３０】
主制御部１９は、火力粗調整入力モード時における火力表示が（ｂ）に示す状態のときに、モード切替スイッチ１８のオンを検知すると、火力微調整入力モードへの移行と判定して、微調整火力の表示に切り替える。その場合、主制御部１９は、火力２から低火力領域を判定し、その領域に設定された火力番号（１〜９）毎の微調整火力（配分例として、１００Ｗ、１５０Ｗ、２００Ｗ、２５０Ｗ、３００Ｗ、３５０Ｗ、４００Ｗ、４５０Ｗ、５００Ｗ）を判定し、かつ、判定した微調整火力のうち設定火力（３００Ｗ）と同一あるいは近似の火力の番号「５」を判定する。そして、主制御部１９は、判定した火力５までの表示窓１５ａが赤色に切り替わるように制御すると共に、先に判定した火力番号毎の微調整火力を全表示窓１５ａの下に表示する。その後、主制御部１９は、例えばキースイッチ１６により火力６が設定されたときには、その火力６に対応して設定された火力（３５０Ｗ）で被加熱物が誘導加熱されるように加熱制御部１４を制御すると共に、火力６の表示窓１５ａも赤色に切替える。
【００３１】
また、主制御部１９は、火力粗調整入力モード時における火力表示が（ｃ）に示す状態のときに、モード切替スイッチ１８のオンを検知すると、火力微調整入力モードへの移行と判定して、微調整火力の表示に切り替える。その場合、主制御部１９は、火力４から中火力領域を判定し、その領域に設定された火力番号（１〜９）毎の微調整火力（配分例として、６００Ｗ、７００Ｗ、８００Ｗ、９００Ｗ、１０００Ｗ、１１００Ｗ、１３００Ｗ、１５００Ｗ、１７００Ｗ）を判定し、かつ、判定した微調整火力のうち設定火力（７５０Ｗ）と同一あるいは近似の火力の番号「３」を判定する。そして、主制御部１９は、判定した火力３までの表示窓１５ａが赤色になるように制御すると共に、先に判定した火力番号毎の微調整火力を全表示窓１５ａの下に表示する。その後、主制御部１９は、例えばキースイッチ１６により火力２が設定されたときには、その火力２に対応して設定された火力（７００Ｗ）で誘導加熱されるように加熱制御部１４を制御すると共に、火力１，２の表示窓１５ａのみ赤色に点灯させる。
【００３２】
さらに、主制御部１９は、火力粗調整入力モード時における火力表示が（ｄ）に示す状態のときに、モード切替スイッチ１８のオンを検知すると、前記と同様に火力微調整入力モードへの移行と判定して、微調整火力の表示に切り替える。その場合、主制御部１９は、火力８から高火力領域を判定し、その領域に設定された火力番号（１〜９）毎の微調整火力（配分例として、１８００Ｗ、１９００Ｗ、２０００Ｗ、２２００Ｗ、２４００Ｗ、２６００Ｗ、２８００Ｗ、２９００Ｗ、３０００Ｗ）を判定し、かつ、判定した微調整火力のうち設定火力（２５００Ｗ）と同一あるいは近似の火力の番号「６」を判定する。そして、主制御部１９は、判定した火力６までの表示窓１５ａが赤色になるように制御すると共に、先に判定した火力番号毎の微調整火力を全表示窓１５ａの下に表示する。その後、主制御部１９は、例えばエンコーダノブ１７により火力７が設定されたときには、その火力７に対応して設定された火力（２８００Ｗ）で被加熱物が誘導加熱されるように加熱制御部１４を制御すると共に、火力７の表示窓１５ａも赤色に切替える。
【００３３】
以上のように実施の形態３においては、火力粗調整入力モードから火力微調整入力モードへ移行する際に、設定火力の領域を判定し、その領域に設定された火力番号毎の微調整火力を判定し、かつ、判定した微調整火力のうち設定火力と同一あるいは近似の火力の番号を判定する。そして、判定した火力番号までの表示窓１５ａを赤色に点灯し，それ以外を青色に点灯させるように制御すると共に、先に判定した火力番号毎の微調整火力値を全表示窓１５ａの下に表示する。これにより、火力を微調整する際、大幅なコストアップを行うことなく、火力微調整の度合いを視覚的に把握できる上に、微調整火力の値を確認でき、より使い勝手の良い誘導加熱調理器を提供できる。
【００３４】
なお、実施の形態３では、火力微調整入力モード時、判定した火力番号までの表示窓１５ａが赤色になるようにしたが、これに限定されるものではない。例えば、図４（ｃ）に示すように、火力粗調整入力モード時の設定火力４から火力微調整入力モードへ移行した際に、火力４（設定火力）と同一あるいは近似の火力ではなく、真ん中の表示窓１５ａの火力番号「５」まで赤色になるようにしても良い。火力微調整入力モードから火力粗調整入力モードに戻るときには、各領域の真ん中の表示窓１５ａまで赤色としても良い。このように構成した場合、ユーザーにとって表示の切り替わり位置が容易にわかり、使い勝手が向上する。
【００３５】
実施の形態４．
実施の形態１，２，３では、モード切替スイッチ１８で火力粗調整入力モードから火力微調整入力モードに、また、その逆への切り替えを行うようしたが、実施の形態４は、そのモードの切り替えをキースイッチ１６あるいはエンコーダノブ１７で行うようにしたものである。
図５は本発明の実施の形態４に係る誘導加熱調理器の火力表示部の表示例を示す図および火力粗調整入力モードから火力微調整入力モードへ移行するときの操作例を示す図、図６は実施の形態４に係る誘導加熱調理器の火力表示部の表示例を示す図および火力微調整入力モードから火力粗調整入力モードへ移行するときの操作例を示す図である。なお、誘導加熱調理器の構成は図１に示す実施の形態１と同様である。
【００３６】
実施の形態４における主制御部１９は、低火力領域、中火力領域および高火力領域の何れかの領域において、キースイッチ１６あるいはエンコーダノブ１７の操作により、一定時間Ｔ内に所定の火力番号の切替回数が所定のＮ回（例えば合計６回）切り替えられると、火力表示部１５の表示状態を切り替える。例えば図５（ａ）に示すように、火力表示部１５の表示状態が火力粗調整入力モードの中火力領域であったときに、一定時間Ｔ内に火力４と５の切替回数の合計が６回になると（図５（ｂ）参照）、中火力領域の火力微調整入力モードに切り替える。この場合、全表示窓１５ａを橙色に切り替えると同時に、中火力領域の真ん中の表示窓１５ａの火力５まで明るくなるようにする。火力表示部１５の真ん中の火力５まで明るくしているのは、ユーザーに対して表示の切り替わり位置が容易にわかるようにしているためである。
【００３７】
また、例えば図６（ａ）に示すように、火力表示部１５の表示状態が火力微調整入力モードの高火力領域であったときに、一定時間Ｔ内に火力８と９の切替回数の合計が６回になると、火力粗調整入力モードに切り替える。この場合、火力微調整入力モード時における火力８（２９００Ｗ）より火力粗調整入力モードにおいて低い火力８（２５００Ｗ）までの表示窓１５ａが明るくなるようにする。この場合、低火力領域の表示窓１５ａが緑色に、中火力領域の表示窓１５ａが橙色に、高火力領域の表示窓１５ａが赤色となる。火力粗調整入力モードに切り替えた際に火力を下げているのは、安全性を考慮しているからである。
【００３８】
次に、実施の形態４における火力表示の切り替えについてフローチャートを用いて説明する。
図７は実施の形態４に係る誘導加熱調理器の動作を示すフローチャート、図８は図７に続くフローチャートである。
【００３９】
主制御部１９は、電源オンの後に（Ｓ１）、キースイッチ１６あるいはエンコーダノブ１７の操作を検知すると（Ｓ２）、デフォルトの火力５（１０００Ｗ）で被加熱物が誘導加熱されるように加熱制御部１４を制御する、次いで、主制御部１９は、火力５の表示窓１５ａまで明るくなるように火力表示部１５を制御する（Ｓ３）。この場合、低火力領域の火力１〜３の表示部１５ａ（緑色）、中火力領域の火力４，５の表示窓１５ａ（緑色）が明るくなる。
【００４０】
この状態において、キースイッチ１６あるいはエンコーダノブ１７の操作により所望の火力が設定された後（Ｓ４）、主制御部１９は、一定時間Ｔ内に隣り合った火力間の切替回数の合計がＮ回以上行われたかどうかを判定する（Ｓ５）。主制御部１９は、隣り合った火力間の切り替えでないと判定したときには、所望の設定火力で被加熱物を加熱継続する（Ｓ９）。また、主制御部１９は、一定時間Ｔ内に隣り合った火力間の切替回数の合計がＮ回以上行われたと判定したときには、キースイッチ１６あるいはエンコーダノブ１７によって切替動作された火力の領域の火力微調整入力モードに移行する（Ｓ６）。
【００４１】
主制御部１９は、例えば図３（ｂ）において、一定時間Ｔ内に火力１と２の切替回数の合計がＮ回以上行われたときには、低火力領域の火力微調整入力モードに移行する。また、主制御部１９は、例えば図３（ｄ）において、一定時間Ｔ内に火力７と８の切替回数の合計がＮ回以上行われたときには、高火力領域の火力微調整入力モードに移行する。さらに、主制御部１９は、図３（ｃ）において、一定時間Ｔ内に火力４と５の切替回数の合計がＮ回以上行われたときには、中火力領域の火力微調整入力モードに移行する。
【００４２】
そして、主制御部１９は、火力微調整入力モード移行時のデフォルト火力を例えば火力５として、火力５で被加熱物が誘導加熱されるように加熱制御部１４を制御し（Ｓ７）、この場合火力５の表示窓１５ａまで明るくなるように火力表示部１５を制御する。前述の火力５は、図３、図４に示すように、火力微調整入力モードの低火力領域においては例えば３００Ｗ、火力微調整入力モードの中火力領域においては例えば１０００Ｗ、火力微調整入力モードの高火力領域においては例えば２４００Ｗに設定されている。その後、キースイッチ１６あるいはエンコーダノブ１７の操作により所望の火力が設定された後（Ｓ８）、主制御部１９は、デフォルトの火力５から設定火力に切り替えて被加熱物が誘導加熱されるように加熱制御部１４を制御する（Ｓ９）。
【００４３】
次に火力微調整入力モードから火力粗調整入力モードへ移行するシーケンスについて説明する。主制御部１９は、火力微調整入力モードで加熱を継続しているときに（図８：Ｓ１１）、キースイッチ１６あるいはエンコーダノブ１７の操作により所望の火力が設定された後（Ｓ１２）、一定時間Ｔ内に隣り合った火力間の切替回数の合計がＮ回以上行われたかどうかを判定する（Ｓ１３）。主制御部１９は、隣り合った火力間の切り替えでないと判定したときには、所望の設定火力を加熱継続する（Ｓ１７）。また、主制御部１９は、一定時間Ｔ内に隣り合った火力間の切替回数の合計がＮ回以上行われたと判定したときには、火力粗調整入力モードに移行する（Ｓ１４）。
【００４４】
主制御部１９は、例えば図３（ｂ）において、一定時間Ｔ内に火力２と３の切替回数の合計がＮ回以上行われたときには、火力粗調整入力モードに移行して、移行時のデフォルト火力を例えば火力２として、火力２までの表示窓１５ａを明るくする。また、主制御部１９は、例えば図３（ｃ）において、一定時間Ｔ内に火力５と６の切替回数の合計がＮ回以上行われたときには、火力粗調整入力モードに移行して、移行時のデフォルト火力を例えば火力５として、火力５までの表示窓１５ａを明るくする。さらに、主制御部１９は、例えば図３（ｄ）において、一定時間Ｔ内に火力８と９の切替回数の合計がＮ回以上行われたときには、火力粗調整入力モードに移行して、移行時のデフォルト火力を例えば火力８として、火力８までの表示窓１５ａを明るくする。
【００４５】
そして、主制御部１９は、低火力領域の火力粗調整入力モードに移行した際には、デフォルト火力を例えば火力２として火力２で被加熱物が誘導加熱されるように加熱制御部１４を制御する（Ｓ１５）。また、中火力領域の火力粗調整入力モードに移行した際には、デフォルト火力を例えば火力５として火力５で被加熱物が誘導加熱されるようにする（Ｓ１５）。さらに、高火力領域の火力粗調整入力モードに移行した際には、デフォルト火力を例えば火力８として火力８で被加熱物が誘導加熱されるように加熱制御部１４を制御する（Ｓ１５）。その後、キースイッチ１６あるいはエンコーダノブ１７の操作により所望の火力が設定されると（Ｓ１６）、主制御部１９は、デフォルトの火力（火力２，５，８の何れか）から所望の設定火力に切り替えて被加熱物が誘導加熱されるように加熱制御部１４を制御する（Ｓ１７）。
【００４６】
以上のように実施の形態４においては、火力粗調整入力モードから火力微調整入力モードへ移行する際、また、その逆に移行する際には、既存のキースイッチ１６あるいはエンコーダノブ１７の所定の操作で行えるようにした。これにより、火力を微調整する際、コストアップを行うことなく、火力微調整の度合いを視覚的に把握でき、使い勝手の良い誘導加熱調理器を提供できる。
【００４７】
実施の形態５．
図９は本発明の実施の形態５に係る誘導加熱調理器の火力表示部の表示例を示す図および火力微調整入力モードから火力粗調整入力モードへ移行するときの操作例を示す図である。なお、図中の（ｃ）（ｄ）は実施の形態６として後述する。また、誘導加熱調理器の構成は図１に示す実施の形態１と同様である。
【００４８】
実施の形態５における主制御部１９は、低火力領域、中火力領域および高火力領域の何れかの領域において、キースイッチ１６あるいはエンコーダノブ１７の操作により、火力９が一定時間Ｔ内に所定回数Ｓ（例えば３回）以上選択されると、火力微調整入力モードから火力粗調整入力モードに移行する。例えば図９（ａ）（ｂ）に示すように、火力微調整入力モードが低火力領域であった場合に、キースイッチ１６の火力ＵＰキーで火力９が一定時間Ｔ内にＳ回以上選択されると、主制御部１９は、火力粗調整入力モードに切り替える。また、エンコーダノブ１７が所定方向に回されて火力９が選択され、一定時間Ｔ、回され続けると火力粗調整入力モードに切り替える。この場合は火力粗調整入力モードにおける火力３が選択されることになる。そして、各領域の表示窓１５ａを緑色・橙色・赤色の順に切り替えると共に、低火力領域の火力３までの表示窓１５ａが明るくなるように火力表示部１５を制御する。
【００４９】
中火力領域や高火力領域における火力粗調整入力モードへの移行も同様であり，中火力領域においては火力６が，高火力領域においては火力９が選択される。
【００５０】
次に、実施の形態５における火力表示の切り替えについてフローチャートを用いて説明する。
図１０は実施の形態５の誘導加熱調理器の動作を示すフローチャートである。
主制御部１９は、Ｓ２１において火力微調整入力モードで加熱を継続しているときに、キースイッチ１６あるいはエンコーダノブ１７の操作により所望の火力が設定された後（Ｓ２２）、主制御部１９は、一定時間Ｔ内に火力９がＳ回以上選択されたかどうかを判定する（Ｓ２３）。主制御部１９は、火力９がＳ回以上選択されていないと判定したときには、所望の設定火力で被加熱物を加熱継続する（Ｓ２７）。また、主制御部１９は、一定時間Ｔ内に火力９がＳ回以上選択されたと判定したときには、火力粗調整入力モードに移行する（Ｓ２４）。
【００５１】
主制御部１９は、例えば図９（ａ）の低火力領域動作時において、一定時間Ｔ内に火力９がＳ回以上選択されたときには、火力粗調整入力モードに移行して火力３までの表示窓１５ａを明るくする。また、主制御部１９は、中火力領域動作時においては、一定時間Ｔ内に火力９がＳ回以上選択されたときには、火力粗調整入力モードに移行して火力６までの表示窓１５ａを明るくする。さらに、主制御部１９は、例えば図９（ｃ）の高火力領域動作時においては、一定時間Ｔ内に火力９がＳ回以上選択されたときには、火力粗調整入力モードに移行して火力９までの表示窓１５ａを明るくする。
【００５２】
そして、主制御部１９は、低火力領域の火力微調整入力モードから火力粗調整入力モードに移行した際には、火力３で被加熱物が誘導加熱されるように加熱制御部１４を制御する（Ｓ２５）。また、中火力領域の火力微調整入力モードから火力粗調整入力モードに移行した際には、火力６で被加熱物が誘導加熱されるようにする（Ｓ２５）。さらに、高火力領域の火力微調整入力モードから火力粗調整入力モードに移行した際には、火力９で被加熱物が誘導加熱されるように加熱制御部１４を制御する（Ｓ２５）。その後、キースイッチ１６あるいはエンコーダノブ１７の操作により所望の火力が設定されると（Ｓ２６）、主制御部１９は、各々の火力（火力３，６，９の何れか）から設定火力に切り替えて被加熱物が誘導加熱されるように加熱制御部１４を制御する（Ｓ２７）。
【００５３】
以上のように実施の形態５においては、火力微調整入力モードから火力粗調整入力モードに移行する際には、既存のキースイッチ１６あるいはエンコーダノブ１７の操作により火力９を選択し、それを一定時間Ｔ内にＳ回以上選択するようにした。これにより、モード切替の操作が容易となり、また火力微調整の度合いを視覚的に把握でき、使い勝手の良い誘導加熱調理器を提供できる。
【００５４】
実施の形態６．
実施の形態５では、キースイッチ１６あるいはエンコーダノブ１７により火力９が一定時間Ｔ内にＳ回選択されたときに、火力微調整入力モードから火力粗調整入力モードへ移行するようにしたが、実施の形態６は、キースイッチ１６あるいはエンコーダノブ１７により火力１が一定時間Ｔ内にＳ回選択されたときに、火力微調整入力モードから火力粗調整入力モードへ移行するようにしたものである。
【００５５】
実施の形態６における主制御部１９は、低火力領域、中火力領域および高火力領域の何れかの領域において、キースイッチ１６あるいはエンコーダノブ１７の操作により、火力１が一定時間Ｔ内にＳ回以上選択されると、火力微調整入力モードから火力粗調整入力モードに移行する。例えば図９（ｃ）（ｄ）に示すように、火力微調整入力モードが高火力領域であった場合に、キースイッチ１６の火力ＤＮキーで火力１が一定時間Ｔ内にＳ回以上選択されると、主制御部１９は、火力粗調整入力モードに切り替える。また、エンコーダノブ１７が所定方向に回されて火力１が選択され、一定時間Ｔ、回され続けると火力粗調整入力モードに切り替える。そして、各領域の表示窓１５ａを緑色・橙色・赤色の順に切り替えると共に、高火力領域の火力７までの表示窓１５ａが明るくなるように火力表示部１５を制御する。
【００５６】
つまり、高火力領域の火力微調整入力モードから火力粗調整入力モードへ移行した際には火力７が設定される。また、図示していないが、中火力領域の火力微調整入力モードから火力粗調整入力モードへ移行した際には火力４が設定される。さらに、低火力領域の火力微調整入力モードから火力粗調整入力モードへ移行した際には火力１が設定される。
【００５７】
次に、実施の形態６における火力表示の切り替えについてフローチャートを用いて説明する。なお、誘導加熱調理器の構成は図１に示す実施の形態１と同様である。
図１１は実施の形態６の誘導加熱調理器の動作を示すフローチャートである。
主制御部１９は、Ｓ３１において火力微調整入力モードで加熱を継続しているときに、キースイッチ１６あるいはエンコーダノブ１７の操作により所望の火力が設定された後（Ｓ３２）、主制御部１９は、一定時間Ｔ内に火力１がＳ回以上選択されたかどうかを判定する（Ｓ３３）。主制御部１９は、火力１がＳ回以上選択されていないと判定したときには、所望の設定火力で被加熱物を加熱継続する（Ｓ３７）。また、主制御部１９は、一定時間Ｔ内に火力１がＳ回以上選択されたと判定したときには、火力粗調整入力モードに移行する（Ｓ３４）。
【００５８】
主制御部１９は、例えば図９（ｃ）の高火力領域動作時において、一定時間Ｔ内に火力１がＳ回以上選択されたときには、火力粗調整入力モードに移行して火力７までの表示窓１５ａを明るくする。また、主制御部１９は、中火力領域動作時においては、一定時間Ｔ内に火力１がＳ回以上選択されたときには、火力粗調整入力モードに移行して火力４までの表示窓１５ａを明るくする。さらに、主制御部１９は、低火力領域動作時においては一定時間Ｔ内に火力１がＳ回以上選択されたときには、火力粗調整入力モードに移行して火力１までの表示窓１５ａを明るくする。
【００５９】
そして、主制御部１９は、図９（ｃ）（ｄ）に示すように高火力領域の火力微調整入力モードから火力粗調整入力モードに移行した際には、火力７で被加熱物が誘導加熱されるように加熱制御部１４を制御する（Ｓ３５）。また、主制御部１９は、中火力領域の火力微調整入力モードから火力粗調整入力モードに移行した際には、火力４で被加熱物が誘導加熱されるように加熱制御部１４を制御する（Ｓ３５）。さらに、主制御部１９は、低火力領域の火力微調整入力モードから火力粗調整入力モードに移行した際には、火力１で被加熱物が誘導加熱されるように加熱制御部１４を制御する（Ｓ３５）。その後、キースイッチ１６あるいはエンコーダノブ１７の操作により所望の火力が設定されると（Ｓ３６）、主制御部１９は、各々の火力（火力１，４，７の何れか）から設定火力に切り替えて被加熱物が誘導加熱されるように加熱制御部１４を制御する（Ｓ３７）。
【００６０】
以上のように実施の形態６においては、火力微調整入力モードから火力粗調整入力モードに移行する際には、既存のキースイッチ１６あるいはエンコーダノブ１７の操作により火力１を選択し、それを一定時間Ｔ内にＳ回以上選択するようにした。これにより、モード切替の操作が容易となり、また火力微調整の度合いを視覚的に把握でき、使い勝手の良い誘導加熱調理器を提供できる。
【００６１】
前述した実施の形態５，６では、低火力領域、中火力領域、高火力領域の何れかの領域の火力微調整入力モードから火力粗調整入力モードに移行した際、火力３，６，９あるいは１，４，７を選択としたが、各領域の真ん中の火力(２，５，８)を選択するようにしても良い。
【符号の説明】
【００６２】
１１  加熱コイル、１２  共振コンデンサ、１３  インバータ、１４  加熱制御部、
１５  火力表示部、１５ａ  表示窓、１６  キースイッチ、１７  エンコーダノブ、
１８  モード切替スイッチ、１９  主制御部。
【図１】
0005436573.tif 000002
【図２】
0005436573.tif 000003
【図３】
0005436573.tif 000004
【図４】
0005436573.tif 000005
【図５】
0005436573.tif 000006
【図６】
0005436573.tif 000007
【図７】
0005436573.tif 000008
【図８】
0005436573.tif 000009
【図９】
0005436573.tif 000010
【図１０】
0005436573.tif 000011
【図１１】
0005436573.tif 000012